(57)【要約】      （修正有）【課題】粘着テープにループ状のつまみを作成するループ状つまみ作成具を簡単な構造で装着した卓上テープカッターを提供する。【解決手段】テープカッター本体１にロール状の粘着テープTを回転自在に支持するテープ保持部２と、このテープ保持部２より前方の位置で起立する塔部３と、を備えるテープカッターであって、平面状のテープセット面を有するベース板１１と、上部に前記粘着テープＴを切断するテープ切断刃を備え、前記粘着テープＴの切断位置から前記粘着テープＴの切断個所を前記テープセット面の前記粘着テープＴの粘着面に接着させる接着位置に向かい移動可能な可動板と、よりなるループ状つまみ作成具１０の前記ベース板１１の背面に、上部と前部及び後部を有する断面コ字状の係止部材の前記前部を固定し、前記係止部材の前記後部を前記塔部３に形成した凹溝に嵌合して前記ループ状つまみ作成具１０を前記テープカッター本体１に装着した。【選択図】図１
2014040302.tif 000002
【特許請求の範囲】
【請求項１】
テープカッター本体にロール状の粘着テープを回転自在に支持するテープ保持部と、このテープ保持部より前方の位置で起立する塔部と、を備えるテープカッターであって、
平面状のテープセット面を有するベース板と、上部に前記粘着テープを切断するテープ切断部を有し、前記粘着テープの切断位置から前記粘着テープの切断個所を前記テープセット面のテープの粘着面に接着させる接着位置に向かい移動可能な可動板と、よりなるループ状つまみ作成具を備え、
このループ状つまみ作成具の前記ベース板の背面に、前部と後部及び上部を有する断面コ字状の係止部材の前記前部を固定し、
前記係止部材の前記後部を前記塔部に形成した凹溝に嵌合して前記ループ状つまみ作成具を前記テープカッター本体に装着たことを特徴とする卓上式テープカッター。
【請求項２】
前記係止部材が有する弾性力により前記ループ状つまみ作成具の前記ベース板を前記塔部の前面に圧接されるように取り付けたことを特徴とする請求項１に記載の卓上式テープカッター。
【請求項３】
前記係止部材の前記後部を前記前部方向に傾け、前記前部と前記後部との間隔を狭くしたことを特徴とする請求項２に記載の卓上式テープカッター。
【発明の詳細な説明】
【技術分野】
【０００１】
この発明は、一面に粘着剤が塗布された粘着テープにループ状のつまみを作成するループ状つまみ作成具を簡単な構造で、確実に装着した卓上式テープカッターに関する。
【背景技術】
【０００２】
一面に粘着剤が塗布されたテープは、家庭用、事務用、商業用、工業用等の各種用途に広く汎用されている。特に、商店・百貨店・スーパー等での買物の商品包装の封、書類・図面等の一時的位置決め、ポスター・表等の掲示等であり、これらの使用において、一旦粘着されたテープを用済み後に引剥がしたいことがしばしば発生する。
【０００３】
このような場合、テープの端部に粘着剤が露出していないつまみを設けこれを引っ張ることにより、引剥しが容易に可能となるので、従来からこのつまみを形成するつまみ作成具を備えた各種のテープカッターがあった。
【先行技術文献】
【特許文献】
【０００４】
【特許文献１】特開２００１−１９９６１９号公報
【特許文献２】特開２００６−２４８７７６号公報
【発明の概要】
【発明が解決しようとする課題】
【０００５】
ところで、従来のテープカッターに備えたつまみを形成するつまみ作成具は、一面に粘着剤が塗布されたテープを切断したテープの切断刃を前後方向に移動させることにより、切断部を折り返し粘着面に接着させてループ状のつまみを作成する構造になっている。テープの切断刃を前後方向に移動させるため、つまみ作成具に大きな力が加わり、つまみ作成具の接続箇所が動いて切断刃が手、指に接触し易く、しかもループ状のつまみの作成が難しくなり、接続箇所が破損するとテープカッターが使用できなくなる。このために接続箇所を補強する場合には、テープカッターが大型化して卓上に広い設置スペースを確保する必要が生じることになる。
【０００６】
この発明は、かかる実情に鑑みてなされたもので、粘着テープにループ状のつまみを作成することが可能なループ状つまみ作成具が簡単な構造で、確実に装着された卓上テープカッターを提供することを目的としている。
【課題を解決するための手段】
【０００７】
前記課題を解決し、かつ目的を達成するために、この発明は、以下のように構成した。
【０００８】
請求項１に記載の発明は、テープカッター本体にロール状の粘着テープを回転自在に支持するテープ保持部と、このテープ保持部より前方の位置で起立する塔部と、を備えるテープカッターであって、
平面状のテープセット面を有するベース板と、上部に前記粘着テープを切断するテープ切断部を有し、前記粘着テープの切断位置から前記粘着テープの切断個所を前記テープセット面のテープの粘着面に接着させる接着位置に向かい移動可能な可動板と、よりなるループ状つまみ作成具を備え、
このループ状つまみ作成具の前記ベース板の背面に、上部と前部及び後部を有する断面コ字状の係止部材の前記前部を固定し、
前記係止部材の前記後部を前記塔部に形成した凹溝に嵌合して前記ループ状つまみ作成具を前記テープカッター本体に装着たことを特徴とする卓上式テープカッターである。
【０００９】
請求項２に記載の発明は、前記係止部材が有する弾性力により前記ループ状つまみ作成具の前記ベース板を前記塔部の前面に圧接されるように装着したことを特徴とする請求項１に記載の卓上式テープカッターである。
【００１０】
請求項３に記載の発明は、前記係止部材の前記後部を前記前部方向に傾け、前記前部と前記後部との間隔を前記上部の幅より狭くしたことを特徴とする請求項２に記載の卓上式テープカッターである。
【発明の効果】
【００１１】
前記構成により、この発明は、以下のような効果を有する。
【００１２】
請求項１に記載の発明では、テープカッター本体にロール状の粘着テープを回転自在に支持するテープ保持部と、このテープ保持部より前方の位置で起立する塔部と、を備えるテープカッターであって、平面状のテープセット面を有するベース板と、上部に前記粘着テープを切断するテープ切断部を有し、前記粘着テープの切断位置から前記粘着テープの切断個所を前記テープセット面のテープの粘着面に接着させる接着位置に向かい移動可能な可動板と、よりなるループ状つまみ作成具の前記ベース板の背面に、上部と前部及び後部を有する断面コ字状の係止部材の前記前部を固定し、この係止部材の前記後部を前記塔部に形成した凹溝に嵌合するだけの簡単な構造で、前記ループ状つまみ作成具を前記テープカッター本体に装着でき、しかも既存のテープカッターにも容易にループ状つまみ作成具が装着できる。
【００１３】
請求項２に記載の発明では、前記係止部材が有する弾性力により前記ループ状つまみ作成具の前記ベース板を前記塔部の前面に圧接されるように装着されるので、前記ベース板と前記塔部の前面と間に隙間なく密着されることになり、粘着テープの切断位置から粘着テープの切断個所を前記テープセット面のテープの粘着面に接着させる接着位置に向かい移動させる際とか、粘着テープの切断とかに外力が作用しても、前記塔部に対してループ状つまみ作成具が揺れ動くことがなく確実な装着される。
【００１４】
請求項３に記載の発明では、前記係止部材の前記後部を前記前部方向に傾け、前記前部と前記後部との間隔を前記上部の幅により狭くしたので、前記後部６３を前記凹溝５に嵌合した際、前記後部６３と前部６２との間隔が広がり、前記後部６３が元の状態に復元するための弾性力を利用して前記ループ状つまみ作成具の前記ベース板が前記塔部の前面に圧接されるように装着できる。
【図面の簡単な説明】
【００１５】
【図１】卓上式テープカッターの全体構成を示す側面図である。
【図２】卓上式テープカッターの前部を示す斜視図である。
【図３】ループ状つまみ作成具を示す斜視図である。
【図４】ループ状つまみ作成具の装着状態を示す断面図である。
【図５】ループ状つまみ作成具を装着する係止部材を示す斜視図である。
【図６】ループ状つまみ作成具の装着状態の他の実施の態様を示す断面図である。
【図７】ループ状つまみ作成具を装着する係止部材の他の実施の態様を示す斜視図である。
【図８】ループ状のつまみを作成する状態を説明する図である。
【発明を実施するための形態】
【００１６】
以下、この発明の卓上式テープカッターの実施の形態について説明する。
この発明の実施の形態は、発明の最も好ましい形態を示すものであり、この発明はこれに限定されない。
【００１７】
この実施の形態の卓上式テープカッターを、図１乃至図８に基づいて説明する。図１はテープカッターの全体構成を示す側面図、図２はテープカッターの前部を示す斜視図、図３はループ状つまみ作成具を示す斜視図、図４はループ状つまみ作成具の装着状態を示す断面図、図５ループ状つまみ作成具を装着する係止部材を示す斜視図、図６はループ状つまみ作成具の装着状態の他の実施の態様を示す断面図、図７はループ状つまみ作成具を装着する係止部材の他の実施の態様を示す斜視図、図８ループ状のつまみを作成する状態を説明する図である。
【００１８】
この実施の形態のテープカッター本体１は一面に粘着剤が塗布されたロール状の粘着テープTを回転自在に支持するテープ保持部２と、このテープ保持部２より前方の位置で起立する塔部３を備える。
【００１９】
前記塔部３の前面には前記粘着テープTの切断端に折り返しを作成するループ状つまみ作成具１０が取付けられ、このループ状つまみ作成具１０の取付けの位置決めをするフランジ４と凹溝５が前記塔部３に形成される。
【００２０】
前記ループ状つまみ作成具１０は、平面状のテープセット面１１ａを有する
べース板１１と、前記テープセット面１１ａの後端縁に対して上方位置に移動可能な鋸刃状のテープ切断刃１２と、このテープ切断刃１２を回動可能に保持し接着位置と切断位置に移動可能に配置される保持板１３と、保持板１３を切断位置に保持する規制板１４と、前記テープ切断刃１２を常に切断位置に付勢する付勢手段１５とを備える。
【００２１】
前記ベース板１１は、例えば樹脂、金属などで成形され、下部には、左右一対の受け部２０が設けられ、この左右一対の受け部２０に支持ピン２１を支点に前記保持板１３の下部が回転可能に支持されている。この保持板１３は、例えば樹脂、金属などで成形される。
【００２２】
前記テープ切断刃１２は、打ち抜き板金材よりなり、前記粘着テープTを所定長さに切断するため、先端１２aが鋸状に形成され、この先端１２ａと反対側に基端１２ｃが前記ベース板１１との間隔に応じた形状になっている。
【００２３】
前記テープ切断刃１２の第一の折り曲げ段部１２ｄの両側部に支持軸１２ｇ，
１２ｈが一体に形成され、この支持軸１２ｇ，１２ｈは前記保持板１３の上部      に回転可能に設けられている。この両側部の前記支持軸１２ｇ，１２ｈは、前記テープ切断刃１２と別体に形成したが、前記テープ切断刃１２に一体してもよい。第二の折り曲げ段部１２ｅは、前記保持板１３の上端部の角部に沿って設けられ、前記先端１２aを有する第三の折り曲げ段部１２bが前記保持板１３の上端から立ち上がるようになっている。
【００２４】
前記付勢手段１５は、コイルスプリング４０で構成される。このコイルスプリング４０は、前記回転軸１２ｇの基部に装着され、前記コイルスプリング４０の一端部４０ａは前記保持板１３に係止され、他端部４０ｂは前記テープ切断刃１２に係止される。このコイルスプリング４０の付勢力により、前記テープ切断刃１２の前記先端１２ａと反対側の前記基端１２ｃは、前記ベース板１１に設けたストッパー２２の表面にスライド可能に当接する。
【００２５】
このテープ切断刃１２の前記基端１２cは、前記ストッパー２２によって上方への移動が規制され、これにより前記テープ切断刃１２は前記コイルスプリング４０により常に切断位置の方向へ付勢され、前記テープ切断刃１２が設けられた前記保持板１３は前記規制板１４に当接し、この規制板１４によって前記保持板１３が切断位置に保持される。
【００２６】
前記テープＴにループ状のつまみを作成する場合には、前記保持板１３を前記ベース板１１の方向へ移動させると、前記テープ切断刃１２の前記基端１２ｃが前記ベース板１１の表面もしくは前記ストッパー２２の表面を下方にスライドして移動し、前記テープ切断刃１２の中央部が前記ストッパー２２に当り、さらに前記保持板１３を移動させると前記テープ切断刃１２の中央部が前記ストッパー２２により押され、前記テープ切断刃１２は前記先端１２ａが、前記ベース板１１の前記テープセット面１１ａに近づくように回転する。
【００２７】
前記ベース板１１の両側部には、切断位置と接着位置間を移動する前記テープ切断刃１２の両側部を覆うガイド板５０が設けられている。このガイド板５０は、前記ベース板１１と一体に設けてもよく、また別体に成形してベース板１１に接着などによって取付けてもよい。さらに前記ガイド板５を前記受け部２０に連結して強度を向上してもよい。
【００２８】
このように、前記ベース板１１の両側部に設けた前記ガイド板５０により切断位置と接着位置間を移動する前記テープ切断刃１２の両側部を覆うことで、前記テープ切断刃１２に触れることに注意を払うことなくつまみを作成することができる。また、前記保持板１３や前記テープ切断刃１２を前記ガイド板５０によって保護し、前記保持板１３や前記テープ切断刃１２が障害物と干渉することを防止することができる。
【００２９】
前記テープカッター本体１と前記ループ状つまみ作成具１０とは、図４、図５に示すような上部６１と前部６２及び後部６３を有する断面コ字状の係止部材６の前記後部６３が前記テープカッター本体１の前記塔部３に形成した凹溝４に嵌合することによりテープカッター本体１に装着される。
【００３０】
前記係止部材６の前記上部６１の側縁に上方に屈曲する第一突起６１aが形成され、前記前部６２の下縁に下方に屈曲する第二突起６２bが形成されている。前記第一突起６１aと前記第二突起６１bは前記ベース板１１に穿設した開口１１bの上縁と下縁に係止し、前記係止部材６の前記前部６２を前記ベース板１１の背面に当接させる。
【００３１】
前記係止部材６の前記後部６３は前記前部６２の方向に傾け、前記後部６３と前記前部６２との間隔を前記上部６１の幅より狭める。前記後部６３を前記凹溝５に嵌合した際、前記後部６３と前部６２との間隔が広がると、前記後部６３の復元作用により弾性力が生じ、前記ベース板１１の背面が前記塔部３の前面に圧接され、前記ループ状つまみ作成具１０が前記テープカッター本体１に装着させる。
なお、前記後部６３の両側に折り曲げ縁６３aを設け、前記凹溝４内の前記後部６３に嵌合隙間が生じないようにする。
【００３２】
次に、他の実施の形態を、図６、７に基づいて説明する。この実施の形態において図４、５の実施の形態と同じ構成は同一の符号を付して説明する。
【００３３】
前記テープカッター本体１に前記ループ状つまみ作成具１０を取り付ける係止部材７を二分割とし、図７（a）に示すような上部８１と前部８２及び後部８３を有する断面コ字状の主係止片８に、図７（b）に示すような上部９１と後部９２を有する断面L字状の副係止片９を重合わせてなる。
【００３４】
前記主係止片８の前記前部８２の下縁に下方に屈曲する第二突起８２bが形成され、前記副係止片９の前記上部９１の側縁には第一突起９１aが形成される。前記第一突起９１aと前記第二突起８２bを前記ベース板１１に穿設した前記開口１１bの上縁と下縁に係止し、前記係止部材７を前記ベース板１１の背面に当接させる。
【００３５】
前記主係止片８の前記後部８３は前記前部８２の方向に傾け、前記後部８３と前記前部８２との間隔を前記上部８１の幅より狭くする。前記副係止片９の前記後部９２は前記主係止片７の前記後部８３と同じ傾きにし、前記主係止片８の前記後部８３に重ねる。この重ねられた前記主係止片８３の前記後部８３と前記副係止片９の前記後部９２を前記凹溝５に嵌合した際、前記後部８３と前記前部８２との間隔が広がると、前記後部８３、９２の復元作用による弾性力で、前記ベース板１１の背面が前記塔部３の前面に圧接される。特に主係止片８の後部８３に副係止片９の後部９２が重なっているので、弾性力が大きくなり、前記ベース板１１の背面が前記塔部３の前面に強く圧接される。
【００３６】
前記主係止片８の前記後部８３に爪８３aを突出し、この爪８３aを前記副係止片９の前記後部９２に設けた小孔９２bに係合させることにより、副係止片９を前記主係止片８に位置決めして重ねることができる。
なお、前記副係止片９の前記後部９２の両側に折り曲げ縁９２aを設け、前記凹溝４内の前記後部９２に嵌合隙間が生じないようにする。
【００３７】
前記テープのつまみ作成具１０を用いて前記粘着テープＴにループ状のつまみＴｃを作成する場合には、図８に示すように、前記テープカッター本体１の前記テープ保持部２に支持された前記粘着テープＴを引き出し、前記粘着テープＴを切断位置に位置する前記テープ切断刃１２によって切断する（図８（ａ））。
【００３８】
この切断は、前記テープ切断刃１２の前記先端１２ａと反対側の前記基端１２ｃを前記ベース板１１もしくは前記ストッパー２２の表面にスライド可能に当接し、前記保持板１３は切断位置にして前記テープ切断刃１２の前記先端１２ａを立てた状態であり、前記粘着テープＴの粘着面Ｔｂを前記ベース板１１の前記テープセット面１１ａに接着させるとともに、前記テープ切断刃１２の前記先端１２ａで切断する。
【００３９】
そして、前記保持板１３を指によって押すなどによって前記ベース板１１に近接させると、この保持板１３を接着位置に移動させるに従い前記テープ切断刃１２が前記付勢手段１５の付勢力に抗して前記テープ切断刃１２の前記基端１２ｃが前記ベース板１１もしくは前記ストッパー２２の表面を下方にスライドし、前記テープ切断刃１２の前記先端１２ａを立てた状態から前記支持軸１２ｇ、１２ｈを支点にして回転し、前記テープ切断刃１２の前記先端１２ａを前記テープセット面１１ａの後端縁に対して上方に位置する（図８（ｂ））。
【００４０】
このように前記保持板１３を前記ベース板１１の方向へ移動させ、前記テープ切断刃１２の前記基端１２ｃが前記ベース板１１もしくは前記ストッパー２２の表面を下方にスライドして移動し、前記テープ切断刃１２の中央部が前記ストッパー２２に当り、さらに前記保持板１３を移動させると前記テープ切断刃１２の中央部が前記ストッパー２２により押される。これにより、前記テープ切断刃１２の前記先端１２aが前記ベース板１１の前記テープセット面１１ａに近づくように回転する。
【００４１】
このとき、前記粘着テープＴがループ状になり、前記テープ切断刃１２の前記先端１２aに付着している前記粘着テープＴの前記粘着面Ｔｂが前記テープセット面１１ａに付着している部分の上方位置から前記粘着テープＴの前記粘着面Ｔｂに接着し、さらに前記テープ切断刃１２の回転により前記先端１２aに接着している前記粘着テープＴの前記粘着面Ｔｂも接着し、ループ状の前記つまみＴｃを作成する（図８（ｃ））。
【００４２】
この状態で、指などによって前記保持板１３を接着位置に位置させている力を解除すると、前記付勢手段１５の付勢力により前記テープ切断刃１２が逆方向に前記支持軸１２ｇ、１２ｈを支点にして回転し、前記テープ切断刃１２の前記基端１２ｃが前記ベース板１１もしくは前記ストッパー２２の表面を逆方向へスライドして前記保持板１３を接着位置から切断位置へ移動する。これにより、前記テープ切断刃１２の前記先端１２ａが前記粘着テープＴの前記切断部Ｔａから剥離し、前記テープ切断刃１２の前記先端１２ａを立てた状態の切断位置へ復帰する（図８（ｄ））。
【００４３】
この前記テープ切断刃１２が回転して切断位置に復帰した状態では、前記粘着テープＴの前記粘着面Ｔｂが前記テープセット面１１ａに接着しており、前記テープ切断刃１２が切断部Ｔａの前記粘着面Ｔｂから離間し、前記粘着テープＴがループ状になりつまみＴｃが形成される。
【００４４】
このとき、前記付勢手段１５の付勢力により前記テープ切断刃１２を接着位置から離間させる方向に付勢しており、前記テープ切断刃１２の前記先端１２ａが前記粘着テープＴの前記切断部Ｔａから離間して切断位置に復帰し、前記保持板１３が前記規制板１４により切断位置に保持されていることで（図８（ｄ））、ループ状のつまみＴｃを摘み前記粘着テープＴを前記テープカッター本体１から引き出して前記テープ切断刃１２により切断することができる。
【００４５】
このように、簡単な操作で、前記テープ切断刃１２の前記先端１２ａを前記テープセット面１１ａの後端縁に対して上方に位置させ、前記粘着テープＴの切断部Ｔｂを、前記テープセット面１１ａの後方位置の前記粘着テープＴに接着させ、迅速かつ確実にループ状のつまみＴｃを作成することができる。
【００４６】
前記粘着テープＴのつまみ作成具１０は、前記保持板１３を指によって押  すなどによって前記ベース板１１に近接させるが、前記粘着テープＴの切断部Ｔａと前記テープ切断刃１２の前記先端１２ａと共に前記保持板１３を指によって押すなどによって前記ベース板１１に近接させることが好ましく、メンディングテープのような硬くて張りのある粘着テープでも安定してループ状のつまみを作成することができる。また、前記保持板１３の先端部の前記支持軸１２ｇ、１２ｈを支点に前記テープ切断刃１２が回転可能に設けられており、前記粘着テープＴの先端部と前記テープ切断刃１２とが前記保持板１３と共に押される際に回転して前記テープ切断刃１２の刃が押した指よりも先に離れて逃げ、指に尖った刃が当たる感触が緩和される。
【産業上の利用可能性】
【００４７】
テープカッター本体にループ状のつまみを作成することが可能なループ状つまみ作成具を簡単な構造で、確実に装着した卓上テープカッターを提供する。
【符号の説明】
【００４８】
１  テープカッター本体
２  テープ保持部
３  塔部
４  フランジ
５  凹溝
６  係止部材
７  分割係止部材
８  主係止片
９  副係止片
１０  テープのつまみ作成具
１１  ベース板
１２  テープ切断部
１３  保持板
１４  規制板
１５  付勢手段
２０  受け部
２１  支持ピン
２２  ストッパー
４０  コイルスプリング
５０  ガイド板
Ｔ  テープ
Ｔａ  テープＴの切断部
Ｔｂ  テープＴの粘着面
Ｔｃ  テープＴのつまみ
【図１】
2014040302.tif 000003
【図２】
2014040302.tif 000004
【図３】
2014040302.tif 000005
【図４】
2014040302.tif 000006
【図５】
2014040302.tif 000007
【図６】
2014040302.tif 000008
【図７】
2014040302.tif 000009
【図８】
2014040302.tif 000010